(57)【要約】      （修正有）【課題】カメラやビデオカメラ、パソコンなどに着脱可能なマイクにおいて、ユーザーへ電池残量低下を通知する集音装置を提供する。【解決手段】１眼レフデジタルカメラシステムにおいて、外部マイク３００は、録画録音可能なカメラ１００から音声信号ラインにより供給される電源ＰｉｎＰ（プラグインパワー）機能を利用し、プラグインパワーからの電荷をＬＥＤ点灯用２次充電池３１３に充電する。外部マイク３００のＢＣ部（バッテリーチェック部）３０９は電池残量をモニターし、電池３０１の電圧が低下したことを検出し、２次充電池３１３にためた電荷を使用してＬＥＤ警告を行う。【選択図】図２
2020088670.tif 000002
【特許請求の範囲】
【請求項１】
録画、録音可能な装置と接続可能であり、音声出力可能な集音装置であって、
接続先から音声信号ラインにより供給される電源（プラグインパワ−）機能を利用し、プラグインパワーからの電荷をＬＥＤ点灯用２次充電池に充電可能なことを特徴とする集音装置。
【請求項２】
電池の残量を確認するＢＣ機能を搭載し、使用中に電池電圧が所定値以下に低下ことを判別可能なことを特徴とする請求項１に記載の集音装置。
【請求項３】
電池の残量がＢＣにより所定値以下に低下したことを判別した際に、ＬＥＤ点灯用２次充電池にためた電荷を使用して内蔵した発光手段を点灯可能なことを特徴とする請求項１に記載の集音装置。
【発明の詳細な説明】
【技術分野】
【０００１】
本発明は、カメラ用外付けマイク（マイクロフォン）に関し、特に電池残量表示を行う際の電源制御に関する。
【背景技術】
【０００２】
近年、デジタルカメラでも動画撮影が可能となっており録音や録画の用途で用いる場合がある。撮像センサーが高画素、高解像度化したことに加え、レンズ交換式カメラでは様々なレンズを使用することができ、多彩なレンズ描写と大型撮像センサーによる美しいボケ味を生かした描写力により、民生用ビデオカメラとは異なるひと味違った映像表現が実現できている。
【０００３】
しかし、デジタルカメラの多くは録音（録画）専用の機器では無い為、録音に適したマイクを搭載していないことが多い。特に望遠レンズに付け替えて遠くの被写体の動画を撮影しようとしても、デジタルカメラに搭載されている内蔵マイクでは遠距離にいる被写体の音まで拾うことができない。
【０００４】
そこでこうしたデジタルカメラに適宜取り付けられる指向性切り替え機能を持った指向性ステレオマイク装置が一部で提案されている。音の指向性を切換えることで、望遠側から広角側まで状況に応じて音を捉えることができ、より臨場感がある動画を撮影することができる。
【０００５】
カメラやビデオカメラ、さらにはパソコンなど着脱可能なマイクを接続し、音声記録可能な製品では、マイク接続のためにミニジャックをもち、接続したマイクへ電源供給するための機能である「ＰｉｎＰ（プラグインパワー）」を備えている。
【０００６】
「ＰｉｎＰ（プラグインパワー）」は、規格化されていないが、音声センサーであるＥＣＭ：エレクトレットコンデンサマイクを動作させるに必要な電源能力は備えており、「ＰｉｎＰ対応」と謳ったマイクも商品化されている。
【０００７】
特許文献１では、電池搭載するマイクで、回路への通電を接続先からのプラグインパワーのレベルを検知して制御する。プラグインパワーのレベルが高いことを検知したときに、マイクは内部内路へ搭載電池からの通電を行い、接続先へ出力を行う方法が開示されている。
【０００８】
特許文献２では、外部電源供給と内蔵電源供給との切り換え回路を備えるコンデンサマイクロホンで、切り替え手段はフォト−ＭＯＳリレーが備えているＭＯＳＦＥＴで構成され、内部電源が低下し、外部電源との電圧差によりフォトＭＯＳリレーが点灯できると、外部電源からの供給となる方法が開示されている。
【先行技術文献】
【特許文献】
【０００９】
【特許文献１】特開平６−２３３３７５号公報
【特許文献２】特開２０１３−２３６１２５号公報
【発明の概要】
【発明が解決しようとする課題】
【００１０】
「ＰｉｎＰ対応」と謳ったマイクは、単なるステレオマイクなどであって、回路規模を小さく、消費電力を少なく抑えている。そのため、指向性切り替えなどの回路が組み込まれている高機能マイクでは、その消費電流から、デジタルカメラなど接続先機器からのＰｉｎＰではソース能力不足で動作できず、電池などの電源を搭載する必要がある。しかし、電池を搭載すると、デジタルカメラなど接続している録音機器が動作できる状態であっても、マイクの電池性能が低下すれば、マイク回路が適正に動作できないことが起こりうる。
【００１１】
マイクの電池残量をユーザーへ知らせるためのバッテリーチェック（ＢＣ）機能を搭載するマイクもあるが、電源ＳＷ＿ＯＮ時の瞬間の電池残量をＬＥＤで一時的に表示するに留まっており、マイク動作中に電池残量を随時チェックしＬＥＤの点灯でユーザーへ通知することは行われていない。なぜならＬＥＤを点灯させるためにも電池からの電流供給が必要になり、残量が少なくなっている電池からＬＥＤを点灯させるほどの電流を供給すると、電池残量が急激に低下しマイクが動作できなくなってしまう為である。
【００１２】
よって現状のシステムでは電源投入時のＢＣでユーザーに電池残量を通知できるが、使用中に電池残量が低下してもユーザーに通知する手段が無い。結果ユーザーはマイクが音声を収集し、カメラへ音声信号を送信していると思っているが、実際は電池切れで音声が録音されていない状況に陥る可能性がある。
【００１３】
そこで、本発明の目的は、ＰｉｎＰから給電されている電荷をマイク内の二次電池に蓄えておくことで、電池残量低下を検出した際にその蓄えた電荷を利用しＬＥＤを点灯させることによってユーザーへ電池残量低下を通知することを可能にしたマイク装置を提供することにある。
【課題を解決するための手段】
【００１４】
上記の目的を達成するために、本発明に係る集音装置は、
録画、録音可能な装置と接続可能であり、音声出力可能な集音装置であって、接続先から音声信号ラインにより供給される電源（プラグインパワ−）機能を利用し、プラグインパワーからの電荷をＬＥＤ点灯用２次充電池に充電可能なことを特徴とする。
【発明の効果】
【００１５】
本発明によれば、ＰｉｎＰから給電されている電荷をマイク内のコンデンサに蓄えておくことで、電池残量低下を検出した際にその蓄えた電荷を利用しＬＥＤを点灯させることによってユーザーへ電池残量低下を通知することを可能とする集音装置の提供を実現できる。
【図面の簡単な説明】
【００１６】
【図１】本発明に係る一眼レフデジタルカメラシステムのブロック図である。
【図２】図１に示す外部マイクと一眼レフデジタルカメラの音声処理部のブロック図である。
【図３】本発明のマイクのＥＣＭの配置と指向性の関係を示す図である。
【図４】図２に示したマイクの動作内容を示すフロー図である。
【発明を実施するための形態】
【００１７】
以下に、本発明の好ましい実施の形態を、添付の図面に基づいて詳細に説明する。
【００１８】
図１は、本発明の実施形態にかかわる外部マイクをカメラに接続した際の構成を示すブロック図である。
【実施例１】
【００１９】
以下、本発明の実施の第１の形態を詳細に説明する。
【００２０】
図１は本発明の実施の形態に係るカメラシステムの概略構成を示す図である。
【００２１】
破線で囲まれた部分はカメラ１００であって、着脱可能な外部集音装置（マイク）が装着された状態である。
【００２２】
カメラ１００は、制御手段として機能して全体の制御を行うマイコンＰＲＳ１４０と、ＣＣＤまたはＣＭＯＳエリアセンサ等からなる撮像部１３とを具備している。また、撮像部１３から出力された画像信号を処理する画像処理部１４１、カメラ１００の撮影画像を表示する画像表示部６、複数の画像データを保存する不揮発性の記憶部材からなる外部記憶装置９等も具備している。
【００２３】
マイコンＰＲＳ１４０は、例えば、内部にＣＰＵ（中央演算処理部）、ＲＡＭ、ＲＯＭ、不揮発性メモリ、入出力ポート等が配置されたワンチップのコンピュータ（以下、マイコンと略記する）である。
【００２４】
マイコンＰＲＳ１４０は、ＲＯＭに格納されたシーケンスプログラムに基づいて、一連の動作を行う。また、マイコンＰＲＳ１４０に内蔵されている不揮発性メモリには、一連のパラメータが格納されている。例えば、露出制御や焦点調節に関する調整値等を含む一連のカメラ１００の制御パラメータや、撮像素子の調整値、撮影画像のホワイトバランスから画像表示部６に撮影画像を表示する際の制御値のデータなどのパラメータが格納されている。このように、画像処理の制御、調整に関係する一連のパラメータが不揮発性メモリに格納されている。マイコンＰＲＳ１４０は、動画撮影時には、音声処理部２００からの音声出力を画像処理部１４１の出力と同期させて撮影画像データとして外部記憶装置９に記録する。
【００２５】
音声処理部２００は、着脱式の外部マイク３００または内蔵マイク５００のいずれかの音声信号を選択し、所定の信号処理を行い、デジタルデータとしてマイコンＰＲＳ１４０に出力する。
【００２６】
外部マイク３００はφ３．５ｍｍのジャックを介してカメラ１００に電気的に接続可能であって、マイコンＰＲＳ１４０は挿抜検知部４００からの出力により外部マイク３００が装着されていることを検知すると、入力をマイク３００に切り替え音声処理部２００の音声処理内容を外部マイク３００に適した内容に変更する。外部マイク３００が装着されていないときには、音声処理部２００の音声処理内容を内蔵マイク５００に適した設定として、音声処理を行う。外部マイク３００および音声処理部２００の詳細説明は図２を使って後述する。
【００２７】
撮像部１３は、ＣＣＤまたはＣＭＯＳエリアセンサ等の撮像素子と該撮像素子を駆動するセンサ駆動部とからなる。撮像部１３は、レンズ部５の光学系を通じて、撮影領域からの光束を撮像素子上に結像させており、撮像素子はこの光学像を光電変換し、電気信号として画像処理部１４１へ出力する。
【００２８】
画像処理部１４１は、撮像画像補正部、インターフェイス（ＩＦ）部、表示画生成部から構成されていて、撮像部１３からの撮像素子出力に一連の処理を行っている。撮像画像補正部は、Ａ／Ｄ変換機能を備え、撮像部１３から入力された電気信号をＡ／Ｄ変換し、暗電流補正やシェーディング補正など、撮像部１３に起因する一連の補正を行う。
【００２９】
画像処理部１４１では、ローパスフィルタによりノイズ成分を除去し、画素及び色補間処理、ホワイトバランスやガンマ補正等、いわゆる画像そのものに関する一連の画像処理を行う。ＩＦ部では、一連の画像処理を行った撮影画像データを後述する外部記憶装置９へ送り出したり、外部記憶装置９に記録された撮影画像データを読み出したりする。
【００３０】
また、画像処理部１４１では、画像処理された撮影画像データや、外部記憶装置９に記憶された撮影画像データに対して表示のための一連の処理を行い、ＩＦ部を介して画像表示部６へ出力する。なお、ＩＦ部から画像表示部６へ撮影画像データを出力するまでの一連の処理は、表示画生成部内のリサイズ部、ＶＲＡＭ部を経由して行われる。
【００３１】
画像表示部はＬＣＤ制御部とＬＣＤ表示部で構成され、画像処理部１４１にてＬＣＤ示向けの画像サイズに調整された画像データにＬＣＤ表示向けに、輝度、コントラスト、γの各調整を行い、ＬＣＤに表示する。不図示のバックライトの点灯および輝度制御はマイコンＰＲＳ１４０にて行っている。
【００３２】
画像表示部に表示される対象となる撮影画像データは、前述した撮像部１３で撮像された画像データのほかに、外部記憶装置９に記憶した画像データや、カメラ１００の設定情報がある。
【００３３】
外部記憶装置９は、例えば、ＣＦカードのような複数の画像データを保存することができる不揮発性の記憶部材であって、カメラ１００から着脱可能なものである。そして、カメラ１００に装着した状態で画像処理部１４１から出力される撮影画像データを記憶する。これにより、１つまたは複数の撮影画像データを記憶した後に、カメラ１００から取り外して、本システムのデータ形式で読み出し可能な別のシステムに装着すれば、記憶されている撮影画像データの再生、編集、及び保存が可能となる。
【００３４】
焦点検出部４は、不図示結像面近傍に配置されたフィールドレンズ、反射ミラー、２次結像レンズ、絞り、及び複数の光電変換素子からなるＣＣＤ等のラインセンサから構成されている。本実施形態における焦点検出部４は、周知の位相差方式であるとともに、観察画面内（ファインダ視野内）の複数の領域を測距点として、該測距点で焦点を検出することが可能となるように構成されている。
【００３５】
レンズ部５には、焦点調節回路及び絞り駆動回路が組み込まれており、マイコンＰＲＳ１４０と信号の伝達がなされる。マイコンＰＲＳ１４０は焦点検出部４から出力される信号に基づき、レンズ部５に内蔵されている焦点調節回路を動作して、最適な焦点調節となる信号を出力する。さらに、測光センサ８から出力される信号に基づいて、レンズ部５に内蔵されている絞り駆動回路を動作して、最適な露光量となる信号を出力する。ミニジャック４００については図２で後述する。
【００３６】
図２は、図１の外部マイク３００がカメラ１００に接続された状態での音声処理部２００、挿抜検知部４００の構成について示すブロック図である。
【００３７】
外部マイク３００は、ショットガン（モノラル）、９０°ステレオ、１２０°ステレオの３つの指向性のいずれかを選択でき、回路動作電源として後述の電池３０１を搭載している。
【００３８】
マイクを制御するマイク制御回路３１０やマイクの指向性を制御する指向性制御回路＆ＡＭＰ部３０４、回路動作電源である電池の残量をモニタリングするＢＣ（バッテリーチエック）検出回路３０９や、電池残量が低下した際にユーザーへ残量低下を警告するＢＣ表示回路（ＬＥＤ）３１２の二次電池を充電、制御するための二次電池充電制御回路３１１から構成される。
【００３９】
ＰｉｎＰ（プラグインパワー）は定められた規格が現時点では存在せず、一般的にＰｉｎＰ（プラグインパワー）搭載と謳っている録音機能を備えた製品は、単なるステレオマイクを動作させるソース能力を有しても、例えば指向性制御のために複数の音声センサーの信号を合成するなどの機能を賄うほどのソース能力はない。その為電池３０１を搭載しており、電池３０１は例えばＣＲ２０３２のようなコイン電池であり、外部マイクの外形や重量への影響は小さい。
【００４０】
電源ＳＷ３０８は外部マイク回路への通電を可能にするスイッチであって、ユーザーが使用時にＯＮ操作するものであり、電池３０１からの通電を行うためのものである。指向性選択ＳＷ３０７は、ショットガン（モノラル）、９０°（ステレオ）、１２０°（ステレオ）なる３つの指向性からユーザーが意図する指向性を選択し設定するためのスイッチである。ＢＣ判定レベルは、指向性制御部＆ＡＭＰ部３０４の回路の最低動作電圧に基づき設定される。
【００４１】
ＢＣ検出回路３０９では、電源ＳＷ３０８がＯＮした直後にＢＣを行う。ＢＣにて設定された閾値を上回り、マイクの動作が可能とＢＣ検出回路３０９が検出した際に、マイク制御回路３１０が切り替え回路３０６を切り替え、電池３０１よりＢＣ表示回路（ＬＥＤ）３１２へ通電し所定時間ＢＣ表示回路（ＬＥＤ）３１２内のＬＥＤを点灯させ、ユーザーにマイクが使用可能状態であることを知らせる。また電池３０１より指向性制御部＆ＡＭＰ部３０４への通電を開始する。
【００４２】
電源ＳＷ３０８をＯＮしＢＣを行い、ＢＣにて設定された閾値を下回った場合、ＢＣ表示回路（ＬＥＤ）３１２内のＬＥＤは点灯しない。また。電池３０１より指向性制御部＆ＡＭＰ部３０４への通電を行わない。
【００４３】
ブロック３０２は、音声センサーであり、３つの単一指向性ＥＣＭ（エレクトレットコンデンサーマイク）と、そのフィルタで構成される。電源は電池３０１により供給される。３つの単一指向性ＥＣＭ（エレクトレットコンデンサーマイク）の使い方については、指向性制御と合わせて図３にて説明する。
【００４４】
ＡＭＰ部は指向性制御部からの信号を受けて、周波数特性、感度などを意図する特性にするためのものである。例えば、ブロック３０２の３つのＥＣＭは、センターＥＣＭとＬｃｈＥＣＭ，ＲｃｈＥＣＭとで異なる固有の周波数特性と感度を持ち、一般的に周波数特性はフラットではない。指向性制御部で合成した後の特性も固有である。
【００４５】
外部マイクに求める周波数特性がフラットであるときには、あらかじめ判っている周波数特性に対し、周波数を高域、低域に分けて、異なる増幅度で増幅することで、周波数差による出力バランス調整を行い出力時にはフラットな周波数特性となる。さらに意図する感度とするために、高域、低域それぞれの増幅度の大きさを最適化する。ここでは、Ａ級ＡＭＰの構成であり、ＡＭＰへの入力信号の大きさによらず消費電流は一定である。
【００４６】
続いて、カメラ１００側の説明を行う。ミニジャック４００にはマイク挿抜検知部が組み込まれている。外部マイクのφ３．５ｍｍのプラグが挿入されることで開閉するスイッチである。その出力は挿抜検知信号としてマイコンＰＲＳ１４０に接続されている。音声処理部２００は、ＰｉｎＰ制御スイッチＳＷ２０３、制御部２０４、入力信号選択スイッチＳＷ２０５、アナログ増幅部２０６、ＡＤＣ（ＡＤコンバーター）部２０８、信号処理部２０９、出力ＩＦ部２１０で構成されている。
【００４７】
ＰｉｎＰ制御スイッチＳＷ２０３は制御部２０４からの信号により２０１で示す抵抗Ｒ１，Ｒ２を介して電源ＶｃｃをＬＥＤ点灯用２次電池３１３にＰｉｎＰ電力を供給する。
【００４８】
２０２で示すコンデンサＣ１，Ｃ２は音声処理部２００へ入力されるＬｃｈ、Ｒｃｈ信号のＤＣ分離を行う。
【００４９】
スイッチ２０５は音声処理すべき信号が外部マイク３００からのものか、内蔵マイク５００からのものかを選択する。増幅部２０６は入力されたスイッチ２０５にて選択されたアナログ音声信号を所定の増幅度で増幅する。さらに、フィルタ２０７にて不要なノイズの除去を行う。
【００５０】
ＡＤＣ２０８はＡＤコンバーターであって入力される音声信号がデジタルで記録、再生しても十分特性が再現できるサンプリングレートおよび分解能でアナログ音声信号をデジタル化する。信号処理部２０９はデジタル化された音声信号についてＡＬＣ（オートレベルコントロール）や風切音除去などの処理を行う。ＩＦ部２１０では、マイコンＰＲＳ１４０との通信を以下の４端子の信号で行う。
【００５１】
信号／ＣＳ＿ＭＩＣがＬレベルになって音声処理部２００が選択されると、通信クロックＳＣＬＫに同期してデータラインＳＤＩにて制御部２０４への設定データを受信し、データラインＳＤＯからは信号処理された音声データや、制御部設定情報が制御部の設定内容に従って送信される。スイッチ２０６から出力ＩＦ２１０までの一連の信号処理ではＬｃｈ、Ｒｃｈの２系統の処理を同じ内容で行っている。
【００５２】
図３の（Ａ）、（Ｂ）を使って、図２の３０２に示す、外部マイクの音声センサー（ＥＣＭ）の配置と指向性について説明する。
【００５３】
図３の（Ａ）は、外部マイク３００をカメラ１００に装着したときに、カメラ１００上方（マイク上方）から見た図である。カメラ１００に装着した際、音響管の正面はカメラ１００のレンズ光束と同一の方向を向き、センタ−ＥＣＭの最も感度の高い方向と一致する。
【００５４】
センターＥＣＭは音響管に組み込まれており、比較的遠くの音も、音響的に高い感度で集音できる。ＬｃｈＥＣＭは、最も感度の高い方向がカメラ１００のレンズ光束に対し６０°左の方向に配置されている。ＲｃｈＥＣＭは、最も感度の高い方向がカメラ１００のレンズ光束に対し６０°右の方向に配置されている。ＬｃｈＥＣＭとＲｃｈＥＣＭはペアでステレオ音声として使われる。このＲｃｈＥＣＭ，ＬｃｈＥＣＭの配置はＸＹ方式と呼ばれる。
【００５５】
図３の（Ｂ）は、上述の３つの音声センサー（ＥＣＭ）を組わせた指向性について示す表である。各指向性に必要とする音声センサー（ＥＣＭ）出力を「○」で示している。指向性はｓｈｏｔｇｕｎ（モノラル）、９０°（ステレオ）、１２０°（ステレオ）を設定することができ、
・ｓｈｏｔｇｕｎ（モノラル）はセンターＥＣＭのみを使用
・９０°（ステレオ）はセンターＥＣＭ、ＬｃｈＥＣＭ、ＲｃｈＥＣＭを使用
・１２０°（ステレオ）はＬｃｈＥＣＭ、ＲｃｈＥＣＭを使用
で実現している。
【００５６】
ｓｈｏｔｇｕｎ（モノラル）はセンターＥＣＭの出力をＬｃｈ音声、Ｒｃｈ音声に並列に出力している。
【００５７】
１２０°（ステレオ）では、ＬｃｈＥＣＭをＬｃｈ音声、ＲｃｈＥＣＭをＲｃｈ音声としている。
【００５８】
９０°（ステレオ）では、ＬｃｈＥＣＭによるＬｃｈ音声、ＲｃｈＥＣＭによるＲｃｈ音声それぞれに、センターＥＣＭの音声出力を加え、音声出力を合成することで９０°の指向性を実現している。
【００５９】
センターＥＣＭとＬｃｈＥＣＭあるいはＲｃｈＥＣＭ音声出力の合成比率で指向性が確定するため、合成比率は、ＥＣＭの特性や音響管の性能を考慮して、製品ごとに最適な値を設定する必要がある。
【００６０】
図２の指向性制御部＆ＡＭＰ部３０４内の指向性制御部は、指向性選択ＳＷ３０７の設定に従い上述の指向性の設定を電気回路にて行っている。指向性制御部＆ＡＭＰ部３０４は、各指向性で指向性制御部＆ＡＭＰ部３０４の出力の大きさに変動がないよう、指向性毎に出力の調整も行っており、例えば、センターＥＣＭの感度が高いために、ｓｈｏｔｇｕｎ（モノラル）での出力が高くなってしまうときには、９０°（ステレオ）時の出力と同じになるよう増幅度を設定し、それを回避している。
【００６１】
また、９０°（ステレオ）、１２０°（ステレオ）ではＥＣＭの感度ばらつきにより、ステレオ感（左右バランス）に影響を与えることがあるため、Ｌｃｈ、Ｒｃｈ出力バランス調整も行っている。
【００６２】
図２に示すブロック図の動作を図４のフロー図を使って説明する。
【００６３】
ここではユーザーが外部マイク３００をカメラ１００に装着後、外部マイク３００のミニプラグをカメラ１００のミニジャック４００にある接続部に挿入し、電気的にも接続を確定させた状態からの動作を示す。ミニプラグをカメラ１００のミニジャック４００にある接続部に挿入すると、ＰｉｎＰ制御スイッチＳＷ２０３は制御部２０４からの信号により２０１で示す抵抗Ｒ１，Ｒ２を介して電源Ｖｃｃが出力可能状態になっている。
【００６４】
ユーザーが外部マイクのメインＳＷ３０８を操作しＯＮすると（＃１０）、電池３０１からマイク制御回路３１０に通電開始される（＃２０）。
【００６５】
マイク制御回路３１０へ通電が開始されると２次電池充電制御回路３１１は電源Ｖｃｃを検出し、ＬＥＤ点灯用２次電池３１３へ通電を行い、充電が開始される（＃３０）。
【００６６】
マイク制御回路３１０が通電されたことをＢＣ部３０９が検知するとＢＣ部３０９が電池３０１のバッテリーチェックを行う（＃４０）。
【００６７】
ＢＣ結果が電池３０１の使用可と電池３０１の設定電圧が設定電圧以下でないこと判断すると（＃５０）電池３０１から切り替え回路３０６を介しＢＣ表示回路（ＬＥＤ）３１２に給電し（＃６０）、ＢＣ表示回路（ＬＥＤ）３１２が点灯（＃７０）、マイクが使用可能状態であることをユーザーへ通知する。
【００６８】
ＢＣ部３０９の結果からマイク制御回路３１０は指向性制御部＆ＡＭＰ部３０４部へ電池３０１からの通電を行う。（＃８０）指向性制御部＆ＡＭＰ部３０４部への通電が開始されると音声センサーブロック３０２に入力された音声信号を指向性制御回路、ＡＭＰを通してカメラ１００側へ出力する（＃９０）。
【００６９】
ＢＣ部３０９は電池残量をモニターし（＃１００）、電池電圧が使用不可直前に設定された閾値以下に低下した場合（＃１１０）、マイク制御回路３１０は切り替え回路を切り替え（＃１２０）ＬＥＤ点灯２次電池３１３からＢＣ表示回路（ＬＥＤ）３１２への通電を開始し（＃１３０）、ＢＣ表示回路（ＬＥＤ）３１２を点灯させユーザーへ電池残量が低下していることを通知する。ユーザーは電池残量が低下していることを認識し電源ＳＷ３０８をオフするとマイク制御回路３１０を介してＢＣ表示回路３１０を消去する（＃１４０）。
【００７０】
一方（＃５０）にて電池残量が使用不可直前に設定された閾値以下だった場合、マイク制御回路３１０はＢＣ表示回路３０６への通電を行わないので、ＢＣ表示回路（ＬＥＤ）は点灯しない。よってユーザーは電池残量が使用不可直前もしくは使用不可状態であることを知ることができ、電池の交換を行う。尚ＬＥＤ点灯用２次電池３１３は大容量コンデンサで代用してもよい。
【００７１】
電池３０１でＢＣ表示回路（ＬＥＤ）３１２を点灯させた場合、電池電圧が低下していることから、ユーザーがＢＣ表示回路（ＬＥＤ）３１２のＬＥＤ点滅に気付く前に電池切れをおこし、ＢＣ表示回路（ＬＥＤ）が消える可能性がある。こうなるとユーザーは電池切れをおこし録音が行われていないことに気付かずカメラ１００での録画を続けてしまう恐れがある。
【００７２】
ＰｉｎＰからの電荷をＬＥＤ点灯用２次電池３１３に蓄えておくことで、電池３０１の電圧が低下し、電池交換が必要になった場合でもＬＥＤ点灯用２次電池３１３に蓄えた電荷を使用しＢＣ表示回路（ＬＥＤ）３１２を点灯させることができ、ユーザーへ電池残量低下を通知できるとともに、ＢＣ表示回路（ＬＥＤ）３１２を点灯させるために電池３０１を使用しないことから、少しでも長く録音状態を維持することが可能となる。
【００７３】
以上、本発明の好ましい実施形態について説明したが、本発明はこれらの実施形態に限定されず、その要旨の範囲内で種々の変形及び変更が可能である。
【００７４】
本発明は、デジタルカメラに限らず、録音機能を備えた種々の電子機器を使った、撮影や録音の際に適用可能である。なお、本発明は、上記実施形態の構成に限られるものではなく、特許請求の範囲で示した機能、または本実施形態の構成が持つ機能が達成できる構成であればどのようなものであっても適用可能である。
【符号の説明】
【００７５】
５  レンズ、１３  撮像部、１００  カメラ、１４０  マイコンＰＲＳ、
１４１  画像処理部、２００  音声処理部、３００  外部マイク、３０１  電池、
３０９  ＢＣ、３１３  ＬＥＤ点灯用２次電池、４００  ミニジャック、
５００  内蔵マイク
【図１】
2020088670.tif 000003
【図２】
2020088670.tif 000004
【図３】
2020088670.tif 000005
【図４】
2020088670.tif 000006